【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
発光ダイオードアレイへの電流を発生させるための電流源と、
入力信号がしきい値を上回るとき、制御信号値の範囲に従って前記発光ダイオードアレイ中の前記電流を制御するように前記電流源への連続制御信号を生成するための、および前記入力信号が前記しきい値を下回るとき、制御信号値に従って前記連続制御信号を生成するためのアナログ調光回路と、
前記連続制御信号が前記しきい値を下回るとき、変調値の範囲に従って前記発光ダイオードアレイ中の前記電流を制御するために、前記電流源への被変調デジタル信号を生成するためのデジタル変調回路と、ここにおいて、前記デジタル変調回路が、前記入力信号に応答して正規化された信号を生成するための正規化回路と、前記正規化された信号に応答して前記被変調デジタル信号を生成するための、前記正規化回路に結合された第１の変調器とを備える、を備え、
ここにおいて、前記連続制御信号が第１の値を上回る前記電流源から前記発光ダイオードアレイへの電流を発生させ、前記連続制御信号と組み合わせた前記被変調デジタル信号が前記第１の値を下回る前記電流源から前記発光ダイオードアレイへの電流を発生させる、回路。
【請求項２】
前記アナログ調光回路が、
前記入力信号に応答して前記連続制御信号を生成するための第２の変調器を備える、請求項１に記載の回路。
【請求項３】
前記正規化回路が、
インクリメントされた信号を生成するために前記入力信号にビットを加えるための加算ブロックと、
前記インクリメントされた信号に応答して正規化された信号を生成するための、前記加算ブロックに結合された乗算ブロックとを備える、請求項１に記載の回路。
【請求項４】
前記正規化回路が、
正規化された信号を生成するために前記入力信号を左にシフトするための左シフトブロックを備える、請求項１に記載の回路。
【請求項５】
前記正規化回路が、
前記入力信号にビットを加えるための、前記左シフトブロックに結合された加算ブロックをさらに備える、請求項４に記載の回路。
【請求項６】
発光ダイオードアレイへの電流を発生させるための電流源と、
第１の基準電圧を受信し、前記電流源中の電流を設定する第２の基準電圧を発生させるためのスイッチング回路と、ここにおいて、前記第２の基準電圧が、前記スイッチング回路への第１の変調信号の変調値に基づいている、
しきい値および調光制御信号を受信するためのマルチプレクサと、
前記しきい値および前記調光制御信号を受信するための比較回路と、前記比較回路は前記調光制御信号が前記しきい値よりも大きいとき、前記マルチプレクサに前記調光制御信号を出力させる、
前記しきい値および前記調光制御信号のうちの１つを受信し、前記第１の被変調信号を発生させるための、前記比較回路の出力に結合された第１の変調器と、前記第１の被変調信号が、前記マルチプレクサからの前記しきい値および前記調光制御信号のうちのより大きい方に対応する変調値を有する、
前記調光制御信号に対応する信号を受信し、それに従って、前記しきい値を下回る調光制御信号値に対応する変調値の範囲を有する第２の変調信号を発生させるための第２の変調器とを備え、
ここにおいて、前記スイッチング回路が、前記調光制御信号が前記しきい値を上回るとき、前記発光ダイオードアレイ中の前記電流を調整するために基準電圧の連続範囲を生成し、前記値を前記しきい値以下にクランプし、
ここにおいて、前記第２の変調信号が、前記調光制御信号が前記しきい値を下回るとき、変調値の範囲にわたって前記電流源をオンおよびオフにする、回路。
【請求項７】
前記調光器制御信号を正規化するために前記調光器制御信号と前記第２の変調器との間に構成されたシフト回路をさらに備え、前記調光器制御信号は２のべき乗に等しい、請求項６に記載の回路。
【請求項８】
前記調光器制御信号に応答して第１の被変調信号を生成するための、前記調光器制御信号と前記マルチプレクサとの間に結合された第３の変調器をさらに備え、
前記第２の変調器が、前記第１の被変調信号に応答して前記連続制御信号を生成する、請求項６に記載の回路。
【請求項９】
前記調光器制御信号と前記マルチプレクサとの間に結合された、第３の変調器と累積およびダンプ回路と、
ここにおいて、前記第３の変調器が、前記調光器制御信号に応答して第１の被変調信号を生成し、
ここにおいて、前記累積およびダンプ回路が、前記第１の被変調信号に応答して累積された被変調信号を生成するために、前記第３の変調器に結合される、
前記累積された被変調信号に応答して前記連続制御信号を生成するための、前記累積およびダンプ回路に結合された第２の変調器と、
をさらに備える、請求項６に記載の回路。
【請求項１０】
前記調光制御信号に対応する前記信号を前記第２の変調器に提供するために、前記調光制御信号と前記第２の変調器との間に結合された正規化回路をさらに備える、請求項６に記載の回路。
【請求項１１】
前記正規化回路が、
インクリメントされた信号を生成するために前記調光制御信号にビットを加えるための加算ブロックと、
前記インクリメントされた信号に応答して前記調光制御信号に対応する前記信号を生成するための、前記加算ブロックに結合された乗算ブロックとを備える、請求項１０に記載の回路。
【請求項１２】
前記正規化回路が、
前記調光制御信号に応答して、前記調光制御信号を左にシフトして前記調光制御信号に対応する前記信号にするための左シフトブロックを備える、請求項１０に記載の回路。
【請求項１３】
入力信号がしきい値を上回るとき、制御信号値の範囲に従って発光ダイオードアレイ中の電流を制御するように、および前記入力信号が前記しきい値を下回るとき、制御信号値に従って連続制御信号を生成するように、前記連続制御信号を生成することと、
前記連続制御信号が前記しきい値を下回るとき、変調値の範囲に従って前記発光ダイオードアレイ中の前記電流を制御するために、被変調デジタル信号をさらに生成することと、ここにおいて、前記被変調デジタル信号を生成することが、前記入力信号に応答して正規化された信号を生成することと、前記正規化された信号に応答して前記被変調デジタル信号を生成することとを備える、を備え、
ここにおいて、前記連続制御信号が第１の値を上回るように前記発光ダイオードアレイ中の電流を制御し、前記連続制御信号および前記被変調デジタル信号の組合せが前記しきい値を下回る前記発光ダイオードアレイ中の電流を発生させる、方法。
【請求項１４】
前記被変調デジタル信号を生成することが、
インクリメントされた信号を生成するために前記入力信号にビットを加えることと、
前記インクリメントされた信号を正規化するために、前記インクリメントされた信号に前記しきい値の逆数を掛けることとを含む、請求項１３に記載の方法。
【請求項１５】
前記被変調デジタル信号を生成することが、
被変調デジタル信号を生成するために、前記インクリメントされた信号をパルス幅変調することを含む、請求項１４に記載の方法。
【請求項１６】
前記被変調デジタル信号を生成することが、
前記連続制御信号を正規化するために、前記入力信号をシフトすることを含み、前記連続制御信号が、２のべき乗に等しい、請求項１３に記載の方法。
【請求項１７】
前記被変調デジタル信号を生成することが、
被変調デジタル信号を生成するために、前記インクリメントされた信号をパルス幅変調することを含む、請求項１６に記載の方法。